(57)【要約】【課題】スイッチの摺動性を損なわず、且つ、スナップ触感が得られるスイッチ保持装置を提供する。【解決手段】機器のハウジングに開設した穴に、スイッチのつまみをＯＮ・ＯＦＦ切替方向に沿って往復摺動させるよう該スイッチを支持するスイッチ保持装置を設け、このスイッチ保持装置は、前記穴を覆うように形成され、摺動方向に沿って延伸する長溝が設けられるブラケット部材と、前記ブラケット部材に対して摺動可能に設けられ、前記長溝を介して突出した前記つまみを嵌着するソケットが設けられたスイッチ操作のためのタブ部材とから構成され、前記スイッチのつまみは、前記摺動方向に沿った両側壁に第１の係止部がそれぞれ形成され、前記つまみの前記第１の係止部が摺動停止する位置の前記長溝の両端部のそれぞれ対向する両側縁部に、前記第１の係止部と互いに係合するための第２の係止部が設けられている。【選択図】図１
2005093419.tif 000002
【特許請求の範囲】
【請求項１】
機器のハウジングに開設した穴に、スイッチのつまみをＯＮ・ＯＦＦ切替方向に沿って往復摺動させるよう前記スイッチを支持するように設け、
前記穴を覆うように形成され、前記摺動方向に沿って延伸する長溝が設けられたブラケット部材と、
前記ブラケット部材に対して摺動可能に設け、前記長溝を介して突出した前記つまみを嵌着するソケットが設けられたスイッチ操作のためのタブ部材とから構成され、
前記スイッチのつまみは、前記摺動方向に沿った両側壁に第１の係止部が対向して形成され、
前記つまみの前記第１の係止部が摺動停止する位置の前記長溝の両端部のそれぞれ対向する両側縁部に、前記第１の係止部と互いに係合するための第２の係止部が設けられていることを特徴とするスイッチ保持装置。
【請求項２】
前記第１の係止部が、前記つまみの両側壁にそれぞれ張り出して形成され、
前記第２の係止部が、前記第１の係止部をそれぞれ嵌合係止させるよう前記長溝の両端部の対向する両側縁部にそれぞれ凹設されていることを特徴とする請求項１に記載のスイッチ保持装置。
【請求項３】
前記ブラケット部材は、前記穴を覆っている、前記摺動方向に沿って前記長溝が設けられた平板部と、該平板部の両端部から下方へ直角に延伸してなる端壁部とから構成されていることを特徴とする請求項１に記載のスイッチ保持装置。
【請求項４】
前記ブラケット部材は、さらに、前記長溝沿いの両側の少なくとも一方に、前記長溝と平行に延伸するスリットが設けられていることを特徴とする請求項１に記載のスイッチ保持装置。
【請求項５】
前記スイッチは、スライド式可変抵抗スイッチであることを特徴とする請求項１に記載のスイッチ保持装置。
【請求項６】
機器のハウジングに開設した穴に設けられるスイッチにおいて、
長手方向に沿って細長く形成され、その両端部が前記機器のハウジングに設けられた１つ以上のターミナルと接続される１つ以上の抵抗部材と、
前記抵抗部材と平行に隣接して、前記ターミナルと前記抵抗部材とにより１つの回路を形成するようにその一端部が前記ターミナルと接続される伝導部材と、
前記穴から外へ突出したつまみと、前記抵抗部材の長手方向の一端部と接触したＯＮ状態、及び前記抵抗部材の他端部と接触したＯＦＦ状態となるように前記抵抗部材と接触しながら摺動するワイパとを有する摺動部材とを含み、
前記機器のハウジングに開設した穴に、前記スイッチのつまみをＯＮ・ＯＦＦ切替方向に沿って往復摺動させるよう該スイッチを保持するスイッチ保持装置を設け、このスイッチ保持装置は、
前記穴を覆うように形成され、前記摺動方向に沿って延伸する長溝を設けたブラケット部材と、
前記ブラケット部材に対して摺動可能に設けられ、前記長溝を介して突出した前記つまみを嵌着するソケットが設けられたスイッチ操作のためのタブ部材とから構成され、
前記スイッチのつまみは、前記摺動方向に沿った両側壁に第１の係止部が対向して形成され、
前記つまみの前記第１の係止部が摺動停止する位置の前記長溝の両端部のそれぞれ対向する両側縁部に、前記第１の係止部と互いに係合するための第２の係止部が設けられていることを特徴とするスイッチ。
【請求項７】
穴を開設してあるハウジングと、
前記ハウジングに設けられ、１つ以上のターミナルを有するターミナル部と、
長手方向に沿って細長く形成され、その両端部が前記機器のハウジングに設けられた１つ以上のターミナルと接続される１つ以上の抵抗部材と、前記抵抗部材と平行に隣接して、前記ターミナルと前記抵抗部材とにより１つの回路を形成するようにその一端部が前記ターミナルと接続される伝導部材と、前記穴から外へ突出したつまみと、前記抵抗部材の長手方向の一端部と接触したＯＮ状態、及び前記抵抗部材の他端部と接触したＯＦＦ状態となるように前記抵抗部材と接触しながら摺動するワイパとを有する摺動部材とを有するスイッチとを含み、
前記ハウジングに開設した穴に前記スイッチのつまみをＯＮ・ＯＦＦ切替方向に沿って往復摺動させるよう該スイッチを支持するスイッチ保持装置を設け、該スイッチ保持装置を、前記穴を覆うように形成され、摺動方向に沿って延伸する長溝が設けられたブラケット部材と、前記ブラケット部材に対して摺動可能に設けられ、前記長溝を介して突出した前記つまみを嵌着するソケットが設けられたスイッチ操作のためのタブ部材とから構成し、
前記スイッチのつまみは、前記摺動方向に沿った両側壁に第１の係止部が対向して形成され、
前記つまみの前記第１の係止部が摺動停止する位置の前記長溝の両端部のそれぞれ対向する両側縁部に、前記第１の係止部と互いに係合するための第２の係止部が設けられている、
ことを特徴とするマイクロホン。
【発明の詳細な説明】
【技術分野】
【０００１】
本発明は、スイッチの保持装置に関し、より詳しくは、マイクロホンなどの電子機器に用いられるスイッチの保持装置に関する。
【背景技術】
【０００２】
従来から、各種電気回路をオン・オフ操作するものとしてスライドタイプのスイッチがよく知られている。例えばかつて本発明者が特開２００３−１６９３８７号でマイクロホンについて提案したスイッチもそれである。このような可変抵抗スイッチの構成によれば、マイクロホンにおける回路の抵抗を逐次に変化させて円滑にＯＮ状態にすることができるので、従来マイクロホンのＯＮ／ＯＦＦ切替によるノイズの問題を解消することができる。しかし、従来のスイッチによれば、オン・オフ間の切替えは円滑に行うことができるが、オンからオフへ又はオフからオンへの切替え動作の都度のスナップ感触が得られない。
【特許文献１】特開２００３―１６９３８７号公報
【発明の開示】
【発明が解決しようとする課題】
【０００３】
従って、本発明では上述した問題点を解決し、マイクロホンなどの機器のハウジングへの取付けが簡単で、オン・オフ切替時の実感を実現可能なスイッチを保持するためのスイッチ保持装置を提供することを目的とする。
【課題を解決するための手段】
【０００４】
前記課題を解決するために、本発明は、機器のハウジングに開設した穴に、スイッチのつまみをＯＮ・ＯＦＦ切替方向に沿って往復摺動させるように、前記穴を覆うように設けられ、前記摺動方向に沿って長溝を開けてあるブラケット部材と、前記ブラケット部材に対して摺動可能に設けられ、前記長溝を介して前記つまみに嵌着されるソケットが設けられたスイッチ操作のためのタブ部材とから構成され、前記スイッチのつまみは、その摺動方向に沿った両側壁に第１の係止部が対向して形成され、前記つまみの前記第１の係止部が摺動停止する位置の両端部のそれぞれ対向する両側縁部に、前記第１の係止部のそれぞれと互いに係合するための第２の係止部が設けられていることを特徴とするスイッチ保持装置を提供するものである。
【０００５】
本発明は、前記第１の係止部が、前記つまみの両側壁にそれぞれ張り出して形成され、前記第２の係止部が、前記第１の係止部とそれぞれ係合するよう前記長溝の両端部の対向する両側縁部にそれぞれ凹設されることが好ましい。
【０００６】
また、前記ブラケット部材は、前記穴を覆うように設けられ、前記摺動方向に沿って前記長溝が設けられた平板部と、該平板部の両端部から下方へ直角に延伸してなる端壁部とから構成されることが好ましい。
【０００７】
また、前記ブラケット部材は、さらに前記長溝沿いの両側の少なくとも一方に、前記長溝と平行に延伸するスリットが設けられることが好ましい。
【０００８】
前記第１の係止部は、前記第２の係止部と互いに係合するよう前記第２の係止部のサイズと概略同一に形成されるので、前記つまみの第１の係止部が形成された部分が、前記第２の係止部を除いた部分の前記長溝の幅よりやや大きいことから、前記つまみは前記長溝内を摺動するとき、前記長溝の両側壁を押し広げるため、前記長溝の両側に前記スリットが設けられることにより、前記つまみの摺動による長溝側縁部との摩擦を緩和することができる。そして、前記第１と第２の係止部が対応して係合するとき、長溝の両側縁部の弾性復元力によってスナップ嵌合することが期待できる。
【０００９】
また、前記スイッチとして、スライド式可変抵抗スイッチを用いることが好ましい。
【００１０】
本発明は、また、スイッチ保持装置を介して機器のハウジングに開設した穴に設けられるスイッチにおいて、長手方向に沿って細長く形成され、その両端部が前記機器のハウジングに設けられた１つ以上のターミナルと接続される１つ以上の抵抗部材と、前記抵抗部材と平行に隣接して、前記ターミナルと前記抵抗部材とにより１つの回路を形成するようにその一端部が前記ターミナルと接続される伝導部材と、前記穴から外へ突出したつまみと、前記抵抗部材の長手方向の一端部と接触したＯＮ状態、及び前記抵抗部材の他端部と接触したＯＦＦ状態となるように前記抵抗部材と接触しながら摺動するワイパとを有する摺動部材と、を含み、前記スイッチ保持装置は、機器のハウジングに開設した穴にスイッチのつまみをＯＮ・ＯＦＦ切替方向に沿って往復摺動させるよう該スイッチを保持させるように、前記穴を覆う逆凹字形状に形成され、摺動方向に沿って延伸する長溝が設けられたブラケット部材と、前記ブラケット部材に対して摺動可能に設けられ、前記長溝を介して突出した前記つまみが嵌入するソケットが設けられたスイッチ操作のためのタブ部材とからなり、前記スイッチのつまみは、その摺動方向に沿った両側壁に第１の係止部が対向して形成され、前記つまみの第１の係止部が摺動停止する位置の長溝の両端部のそれぞれ対向する両側縁部に、前記第１の係止部と係合するための第２の係止部がそれぞれ設けられていることを特徴とするスイッチを提供するものである。
【００１１】
本発明は、また、穴を開設してあるハウジングと、前記ハウジングに設けられ、１つ以上のターミナルを有するターミナル部と、長手方向に沿って細長く形成され、その両端部が前記機器のハウジングに設けられた１つ以上のターミナルと接続される１つ以上の抵抗部材と、前記抵抗部材と平行に隣接して、前記ターミナルと前記抵抗部材とにより１つの回路を形成するようにその一端部が前記ターミナルと接続される伝導部材と、前記穴から外へ突出したつまみと、前記抵抗部材の長手方向の一端部と接触したＯＮ状態、及び前記抵抗部材の他端部と接触したＯＦＦ状態となるように前記抵抗部材と接触しながら摺動するワイパとを有する摺動部材とを有するスイッチと、機器のハウジングに開設した穴に前記スイッチのつまみをＯＮ・ＯＦＦ切替方向に沿って往復摺動させるよう該スイッチを保持させるように、前記穴を覆う逆凹字形状に形成され、摺動方向に沿って延伸する長溝が設けられるブラケット部材と、前記ブラケット部材に対して摺動可能に設けられ、前記長溝を介して突出した前記つまみを嵌入するソケットが設けられたスイッチ操作のためのタブ部材とからなるスイッチ保持装置と、から構成され、前記スイッチのつまみは、その摺動方向の両側壁に第１の係止部が対向して形成され、前記つまみの第１の係止部が摺動停止する位置の長溝の両端部のそれぞれ対向する両側縁部に、前記第１の係止部と係合するための第２の係止部がそれぞれ設けられていることを特徴とするマイクロホンを提供しようとする。
【発明の効果】
【００１２】
前記構成からなる本発明のスイッチ保持装置によれば、スイッチの摺動性を損なわず、且つ、スナップ触感が得られる。
【発明を実施するための最良の形態】
【００１３】
以下、図面を参照して本発明の実施の形態を説明する。
本発明にかかるスイッチ保持装置の一実施形態の構造を図１、図２に示す。図１はスイッチも含めたスイッチ保持装置の分解斜視図、図２は図１のスイッチ部分を省略した要部のみの縦断面図である。図において、１は本実施形態に用いられるスライド式可変抵抗スイッチ、７は該スイッチを図示しない機器ハウジングに保持するブラケット部材、８はスイッチ操作するためのタブ部材である。本実施形態においては、前記ブラケット部材７と前記タブ部材８とからスイッチ保持装置が構成されている。図３は、前記スイッチ１の分解斜視図、図７、８は、本実施形態のスイッチ保持装置を介して前記スイッチ１が取り付けられているマイクロホンの正面図および部分省略縦断面図である。図において、９はマイクロホンを示す。
【００１４】
前記マイクロホン９は、マイクロホン機構をハウジング９０に内蔵し、該ハウジング９０は、中から外部へ開口する穴９１が形成される。該マイクロホン９はさらに、図３に示されているように、間隔を開けて複数のターミナル５３を設けたターミナル部５が前記ハウジング９０に設けられている。
【００１５】
図３は、本実施形態のスイッチ保持装置によってマイクロホン９に取り付けられるスイッチ１を示す分解斜視図である。前記スイッチ１は、前記スイッチ保持装置を介して前記穴９１に取り付けられ、ガラス繊維などからなるシート状基板２、上フレーム４及び下フレーム６により画定された取付空間４３内に収容される。前記基板２は、前記取付空間４３内において前記フレーム４、６により挟持されている。前記上フレーム４は、金属からなり、その表面部４１の内側から外側へ開口して長手方向に沿ったスロット４４が形成される。
【００１６】
前記スイッチ１として、本実施形態ではスライド式可変抵抗スイッチが用いられる。該スイッチ１においては、例えば図３に示すように、前記基板２の長手方向にほぼ平行にプリントされる抵抗部材２３、２３と伝導部材２５、２５とを備えている。また、該基板２の裏側には、ターミナル部５のターミナル５３に対応して複数の伝導性コンタクト（図示せず）が形成されている。前記抵抗部材２３は、図３に示されているように、長手方向に沿って細長く形成され、その両端部２３１、２３２のそれぞれから長手方向に沿って銅箔などからなる伝導性の繋ぎ部２２、２２が延伸されている。前記伝導部材２５は、前記抵抗部材２３と平行に隣接し、その一端部が前記ターミナル５３と接続される。前記スイッチ１においてさらに、前記抵抗部材２３上を摺動するＯＮ・ＯＦＦ操作のための摺動部材３を設けている。
【００１７】
該摺動部材３は、例えばプラスチックによりつくられ、前記上フレーム４のスロット４４を介して前記穴９１から外へ突出するつまみ３２と、前記抵抗部材２３の長手方向の一端部２３１と接触したＯＦＦ状態、及び前記抵抗部材２３の他端部２３２と接触したＯＮ状態となるように前記抵抗部材２３と接触しながら摺動する弾性のある例えば金属ばねよりなる伝導性ワイパ３３とを有する。なお、前記つまみ３２は、ＯＮ・ＯＦＦの切替えによるノイズを低減するために、プラスチックにより成形されるのが好ましい。また、前記つまみ３２が上部３１１に垂直に立設され、且つ前記ワイパ３３が底部３１２に取り付けられる取付座３１が、前記基板２上に摺動可能に設けられている。
【００１８】
そして、前記摺動部材３は、前記つまみ３２のための貫通穴を開設してある座板３４及び弾性押え部材３５を挟んで前記上フレーム４の表面部４１の裏面と弾性当接しながら、前記ワイパ３３を前記抵抗部材２３及び前記伝導部材２５に当接して摺動させるように付勢されている。前記ワイパ３３が、前記摺動部材３と同時に、前記抵抗部材２３及び前記伝導部材２５に常時接触して摺動されることによって、前記マイクロホン９内には、ターミナル５３、伝導部材２５及び抵抗部材２３を介して１つの回路が形成される。
【００１９】
図１、２に戻って、前記スイッチ保持装置は、前記ハウジング９０に開設した穴９１に該スイッチ１を取付けて前記スイッチ１のつまみ３２を長手方向即ちＯＮ・ＯＦＦ切替の方向に沿って往復摺動させるための手段であり、図示の如くブラケット部材７とタブ部材８とから構成される。該ブラケット部材７は、前記穴９１を覆うような逆凹字形に形成され、図示のように前記スイッチ１のつまみ３２が挿通して摺動できる長溝７４を設けている平板部７１と、該平板部７１と共に取付空間７３を画定するように該平板部の両端部の底部から前記摺動方向に対して下向き直角に一体延伸してなる端壁部７２、７２とを有する。前記タブ部材８は、スイッチ操作の手段としてほぼ中央部の裏側に凹陥して前記スロット４４及び前記長溝７４を介して突出した前記つまみ３２を嵌着するソケット８１が凹設されている。
【００２０】
そして、本実施形態においては、前記スイッチ１のつまみ３２は、長手（摺動）方向に沿った両側壁のそれぞれに第１の係止部３２１、３２１が張り出して形成され、前記ブラケット部材７の長溝７４の両端部の前記第１の係止部３２１、３２１が停止する位置と対応する両側縁部に、前記第１の係止部３２１、３２１と係合するように第２の係止部７４１、７４１、７４２、７４２が凹設されている。図２に示すように、前記タブ部材８のソケット８１に嵌着されたつまみ３２の第１の係止部３２１、３２１が、前記ブラケット部材７の長溝７４に設けられた凹陥部である第２の係止部７４１、７４１に入り込んで停止する。なお、本実施形態においては、前記第１の係止部３２１は前記つまみ３２から張り出して形成され、前記第２の係止部７４１又は７４２は、前記第１の係止部３２１に対応して凹陥して形成されているが、逆に前記第１の係止部３２１として前記つまみ３２に窪みを凹設し、前記第２の係止部７４１、７４２として前記長溝７４に突起を設けるか、突起である第１の係止部３２１に対して前記第２の係止部７４１、７４２も位置が手前へずれた突起であるように、種々の変形が可能である。
【００２１】
前記第１の係止部３２１は、前記第２の係止部７４１又は７４２と互いに係合するよう前記第２の係止部７４１又は７４２のサイズと概略同一に形成されるので、前記つまみ３２の第１の係止部３２１の部分が、前記長溝７４の部分の溝幅よりやや大きい。また、前記平板部７１の前記長溝７４沿いの両側に、前記長溝７４と並列して長手方向に沿って延伸するスリット７５、７５が設けられている。前記スリット７５、７５を設けたことにより、図６に示すように、前記つまみ３２の摺動時、前記長溝７４の両側壁が前記第１の係止部３２１、３２１に押し広げられ前記スリット７５、７５を撓ませるので、前記つまみ３２及び前記長溝７４間の摺動摩擦を緩和することができる。
【００２２】
前記構成においては、前記摺動部材３を操作して前記ワイパ３３を前記抵抗部材２３の長手方向の一端部２３１まで同時に摺動させると共に前記つまみ３２の第１の係止部３２１、３２１が前記長溝７４の第２の係止部７４１、７４１にぱちんとスナップ嵌入されることによって、前記回路をＯＦＦ状態にさせる（図２を参照）。また、前記摺動部材３を操作して前記ワイパ３３を逆方向の前記抵抗部材２３の他端部２３２まで摺動させると共に、前記第１の係止部３２１、３２１が前記第２の係止部７４２、７４２にスナップ嵌入されることによって、ＯＮ状態にさせることができる（図４、５を参照）。このように、前記摺動部材３が移動して、前記ワイパ３３を前記伝導部材２５及び前記抵抗部材２３上のＯＮ状態位置とＯＦＦ状態位置との間にわたって摺動させることによって、前記回路の抵抗を線形に変化させることができ、同時に前記第１の係止部３２１、３２１が前記第２の係止部７４１、７４１又は７４２、７４２にスナップ嵌入されることによって、スイッチ操作時のスナップ感触を得ることができる。なお、本実施形態のスイッチ保持装置は、スイッチとしてスライド式可変抵抗スイッチを用いて説明したが、非接触型のスイッチでも好適に用いられる。
【００２３】
このように本実施形態のスイッチ保持装置によれば、構成が簡単でスイッチのＯＮ・ＯＦＦ状態間の切替えを円滑に行わせことができると共に、切替時にはスナップ感触も実感できる。
【図面の簡単な説明】
【００２４】
【図１】本発明の一実施形態のスイッチ保持装置およびスイッチの概略分解斜視図。
【図２】図１のスイッチを省略した要部のみの縦断面図。
【図３】同スイッチの分解斜視図。
【図４】同スイッチの概略縦断面図。
【図５】ブラケット部材を上から見たときの概略平面図。
【図６】ブラケット部材を上から見たときの概略平面図。
【図７】本実施形態のマイクロホンの概略側面図。
【図８】同マイクロホンの概略縦断面図。
【符号の説明】
【００２５】
１…スイッチ
２…基板
２２…繋ぎ部
２３…抵抗部材
２３１、２３２…端部
２５…伝導部材
３…摺動部材
３１…取付座
３１１…上部
３１２…底部
３２…つまみ
３２１…第１の係止部
３３…ワイパ
３４…座板
３５…弾性押え部材
４…上フレーム
４１…表面部
４３…取付空間
４４…スロット
５…ターミナル部
５３…ターミナル
６…下フレーム
７…ブラケット部材
７１…平板部
７２…端壁部
７３…取付空間
７４…長溝
７４１、７４２…第２の係止部
７５…スリット
８…タブ部材
８１…ソケット
９…マイクロホン
９０…ハウジング
９１…穴
【図１】
2005093419.tif 000003
【図２】
2005093419.tif 000004
【図３】
2005093419.tif 000005
【図４】
2005093419.tif 000006
【図５】
2005093419.tif 000007
【図６】
2005093419.tif 000008
【図７】
2005093419.tif 000009
【図８】
2005093419.tif 000010